(57)【特許請求の範囲】
【請求項１】
本体キャビネットの側板の上端面より上方に位置するズレ止め部を有するズレ防止用サッシと、洗面ボールを固定する固定具とを本体キャビネットの両方の側板の上端部内面に固定し、洗面ボールの両方の側壁板の下端面を本体キャビネットの両方の側板の上端面にそれぞれ載置して、本体キャビネットの両方の側板に固定したズレ防止用サッシのズレ止め部の外面を洗面ボールの両方の側壁板の下端部内面にそれぞれ当接させると共に、洗面ボール裏面に設けた固着部の固着孔に前記固定具に穿設した挿通孔を介して固着具を固着して洗面ボールを本体キャビネットに固定した洗面ボール取付構造において、ズレ防止用サッシのズレ止め部に、本体キャビネットの側板の上端面に当接してズレ防止用サッシの上下方向の固定位置を決めるサッシ位置決め部を形成して成ることを特徴とする洗面ボール取付構造。
【請求項２】
本体キャビネットの側板の上端部内面に固定するズレ防止用サッシに、洗面ボールを固定する固定具の本体キャビネットの側板への固定位置を決める位置決め部を形成して成ることを特徴とする請求項１記載の洗面ボール取付構造。
【発明の詳細な説明】
【０００１】
【発明の属する技術分野】
本発明は、洗面化粧台において、下部の本体キャビネットの上部に洗面ボールを載置して取り付ける洗面ボール取付構造に関するものである。
【０００２】
【従来の技術】
洗面所等に配置する洗面化粧台は図６，図７に示すように、洗面化粧台６は下部が本体キャビネット１となっており、本体キャビネット１の上に洗面ボール３を載置して固定し、更にその上に鏡や小物置き機能等の付いた化粧台上部６１を固定するものである。
【０００３】
洗面ボール３の本体キャビネット１への載置・固定は、従来は図８に示すように、本体キャビネット1の両方の側板１１の上端部内面１１ｂに固定具４を固着し、洗面ボール３の両方の側壁板３１の下端面３１ａを本体キャビネット１の側板１１の上端面１１ａにそれぞれ載置し、洗面ボール３裏面に設けた固着部３２の固着孔３３に、固定具４に穿設した挿通孔４１を介して固着具５を螺着することで行っていた。
【０００４】
しかし、本体キャビネット１の側板１１に載置した洗面ボール３の側壁板３１の側方向への動きは、洗面ボール３の側壁板３１の下端面３１ａと本体キャビネット１の側板１１の上端面１１ａとの間の摩擦力によってのみ阻止するものであるため、洗面化粧台６を使用しているうちに振動等によって本体キャビネット１の側板１１に載置した洗面ボール３の側壁板３１が側方にずれるという問題があった。
【０００５】
【発明が解決しようとする課題】
本発明は上記の点に鑑みてなされたものであり、その目的とするところは、本体キャビネットの側板に載置した洗面ボールの側壁板が側方にずれない洗面ボール取付構造を提供することを課題とするものである。
【０００６】
【課題を解決するための手段】
上記課題を解決するために本発明に係る洗面ボール取付構造は、本体キャビネット１の側板１１の上端面１１ａより上方に位置するズレ止め部２２を有するズレ防止用サッシ２と、洗面ボール３を固定する固定具４とを本体キャビネット１の両方の側板１１の上端部内面１１ｂに固定し、洗面ボール３の両方の側壁板３１の下端面３１ａを本体キャビネット１の両方の側板１１の上端面１１ａにそれぞれ載置して、本体キャビネット１の両方の側板１１に固定したズレ防止用サッシ２のズレ止め部２２の外面２２ａを洗面ボール３の両方の側壁板３１の下端部内面３１ｂにそれぞれ当接させると共に、洗面ボール３裏面に設けた固着部３２の固着孔３３に前記固定具４に穿設した挿通孔４１を介して固着具５を固着して洗面ボール３を本体キャビネット１に固定した洗面ボール取付構造において、ズレ防止用サッシ２のズレ止め部２２に、本体キャビネット１の側板１１の上端面１１ａに当接してズレ防止用サッシ２の上下方向の固定位置を決めるサッシ位置決め部２２ｂを形成して成ることを特徴とするものである。このような構成とすることで、本体キャビネット１の両方の側板１１に固定したズレ防止用サッシ２のズレ止め部２２の外面２２ａが洗面ボール３の両方の側壁板３１の下端部内面３１ｂにそれぞれ当接して洗面ボール３の側方への移動が拘束され、本体キャビネット１の側板１１に載置した洗面ボール３の側壁板３１が側方にずれるのを防止できるようになるものであり、これにあたって、本体キャビネット１に取り付けるズレ防止用サッシ２の上下方向の取り付け位置が簡単に決められるようになるものである。
【０００７】
また、本体キャビネット１の側板１１の上端部内面１１ｂに固定するズレ防止用サッシ２に、洗面ボール３を固定する固定具４の本体キャビネット１の側板１１への固定位置を決める位置決め部２３を形成することが好ましい。このような構成とすることで、ズレ防止用サッシ２を本体キャビネット１の側板１１に固定した後で、位置決め部２３に従って固定具４を本体キャビネット１の側板１１に固定するだけで、簡単に所定の位置に固定具４を固定できるようになるものである。
【０００９】
【発明の実施の形態】
以下、本発明の一実施形態について図１，２及び図７に基づいて説明する。
【００１０】
本体キャビネット１は略箱形状をしており、前板１２と背板１３及び、前板１２と背板１３との間に配置される両方の側板１１、前板１２に設けた扉１４とから構成され、前板１２と背板１３及び両方の側板１１とで囲まれる空間を収納空間とするものである。さらに、本体キャビネット１の側板１１の上端部内面１１ｂには、本体キャビネット１に洗面ボール３を載置した時に洗面ボール３がずれないようにするためのズレ防止用サッシ２及び、本体キャビネット１に載置した洗面ボール３を固定するための断面略Ｌ字状の固定具４が設けてある。
【００１１】
ズレ防止用サッシ２は、断面が略Ｌ字状となっており、奥行き長さはほぼ本体キャビネット１の側板１１の奥行き長さと同長としてある。断面略Ｌ字状をしたズレ防止用サッシ２上部の水平となった部分は、本体キャビネット１の両方の側板１１の上端面１１ａより上方にそれぞれ位置するズレ止部２２となっており、それぞれのズレ止部２２の外面２２ａが洗面ボール３の両方の側壁板３１の下端部内面３１ｂにそれぞれ当接して洗面ボール３が側方向へずれるのを防止するものである。そして、ズレ防止用サッシ２の断面略Ｌ字状をした下部の縦片は、ズレ防止用サッシ２を本体キャビネット１の側板１１に固定するための固着片２１となっている。また、ズレ防止用サッシ２のズレ止部２２の下面は、本体キャビネット１の上端部内面１１ｂに当接してズレ防止用サッシ２の上下方向の固定位置を決めるサッシ位置決め部２２ｂとなっている。このようなズレ防止用サッシ２は、ズレ止部２２を本体キャビネット１の側板１１の上端面１１ａよりも上方に位置した状態で固着片２１の内面を本体キャビネット１の側板１１の上端部内面１１ｂに当接させ、ズレ防止用サッシ２を下にずらしてズレ止部２２下面のサッシ位置決め部２２ｂを本体キャビネット１の側板１１の上端面１１ａに当接させた状態で、固着具（図示せず）あるいは接着剤等によって本体キャビネット１の側板１１の上端部内面１１ｂに固定するものである。
【００１２】
また、ズレ防止用サッシ２には、洗面ボール３を本体キャビネット１の側板１１に固定するための固定具４を本体キャビネット１の側板１１に固定する位置を決めるための凹部である位置決め部２３が設けてある。位置決め部２３は、固定具４が嵌め込まれるように、凹部の奥行き長さが固定具４の奥行き長さとほぼ同長となっている。
【００１３】
本体キャビネット１の上に載置する洗面ボール３は、平面視中央部にボール部３４を配置し、ボール部３４の上周縁にフランジ状の平面視略矩形状をした洗面台上面３５を連設し、洗面台上面３５の前縁より前壁板３６，後縁より背壁板（図示せず），両方の側縁より側壁板３１をそれぞれ垂設してあり、側壁板３１近傍の洗面台上面３５裏面からは、洗面ボール３を本体キャビネット１に固定するための固着部３２が垂設してある。更に洗面台上面３５の後端部からは上方に向けて、蛇口等を収納する略箱状をした配管収納部３７が設けてあり、配管収納部３７の上端面に化粧台上部６１を載置固定して洗面化粧台６を形成するものである。
【００１４】
本体キャビネット１の上への洗面ボール３の載置・固定は、洗面ボール３の両方の側壁板３１を本体キャビネット１の両方の側板１１の上端面１１ａの上方に位置させ、本体キャビネット１の側板１１の上端部内面１１ｂに取り付けてあるズレ防止用サッシ２のズレ止部２２の外面２２ａに洗面ボール３の側壁板３１の下端部内面３１ｂを当接させながら、洗面ボール３の下端面３１ａを本体キャビネット１の側板１１の上端面１１ａに載置し、その後、本体キャビネット１の側板１１に固定した固定具４に穿設してある挿通孔４１にねじ等の固着具５を挿通して、洗面ボール３裏面に設けてある固着部３２の固定孔３３に螺着することで行うものである。
【００１５】
以上のようにすることで、洗面ボール３を本体キャビネット１に載置して固定した時、本体キャビネット１の両方の側板１１の上端部内面１１ｂに固定したそれぞれのズレ防止用サッシ２のズレ止部２２の外面２２ａが当接する状態となって、本体キャビネット１に載置した洗面ボール３が側方にずれることが無くなるものである。
【００１６】
また、本発明の他の実施形態として、それぞれ図３乃至図５に示すようなずれ防止用サッシ２を用いてもよいものである。これらのズレ防止用サッシ２は、図１及び図２に示す実施形態で用いるズレ防止用サッシ２と比較して、ズレ止部２２の外面２２ａを大きくとってあって、本体キャビネット１の側板１１に載置した洗面ボール３の下端部内面３１ｂとの当接面が大きくなるため、本体キャビネット１に載置した洗面ボール３が側方にずれるのをより確実に防止することができるものである。
【００１７】
【発明の効果】
上記のように本発明の請求項１記載の発明にあっては、本体キャビネットの側板の上端面より上方に位置するズレ止め部を有するズレ防止用サッシと、洗面ボールを固定する固定具とを本体キャビネットの両方の側板の上端部内面に固定し、洗面ボールの両方の側壁板の下端面を本体キャビネットの両方の側板の上端面にそれぞれ載置して、本体キャビネットの両方の側板に固定したズレ防止用サッシのズレ止め部の外面を洗面ボールの両方の側壁板の下端部内面にそれぞれ当接させると共に、洗面ボール裏面に設けた固着部の固着孔に前記固定具に穿設した挿通孔を介して固着具を固着して洗面ボールを本体キャビネットに固定した洗面ボール取付構造において、ズレ防止用サッシのズレ止め部に、本体キャビネットの側板の上端面に当接してズレ防止用サッシの上下方向の固定位置を決めるサッシ位置決め部を形成したので、本体キャビネットの両方の側板に固定したズレ防止用サッシのズレ止め部の外面が洗面ボールの両方の側壁板の下端部内面にそれぞれ当接して洗面ボールの側方への移動が拘束され、本体キャビネットの側板に載置した洗面ボールの側壁板が側方にずれるのを防止できるようになるものであり、これにあたって、ズレ防止用サッシのズレ止め部に、本体キャビネットの側板の上端面に当接してズレ防止用サッシの上下方向の固定位置を決めるサッシ位置決め部を形成したので、本体キャビネットに取り付けるズレ防止用サッシの上下方向の取り付け位置が簡単に決められるようになるものである。
【００１８】
また請求項２記載の発明にあっては、上記請求項１記載の発明の効果に加えて本体キャビネットの側板の上端部内面に固定するズレ防止用サッシに、洗面ボールを固定する固定具の本体キャビネットの側板への固定位置を決める位置決め部を形成したので、ズレ防止用サッシを本体キャビネットの側板に固定した後で、位置決め部に従って固定具を本体キャビネットの側板に固定するだけで、簡単に所定の位置に固定具を固定できるようになるものである。
【図面の簡単な説明】
【図１】本発明の一実施形態の分解斜視図である。
【図２】同上の実施形態の断面図である。
【図３】本発明の他の実施形態のズレ防止用サッシの斜視図である。
【図４】本発明の更に他の実施形態のズレ防止用サッシの斜視図である。
【図５】本発明の更に他の実施形態のズレ防止用サッシの斜視図である。
【図６】本発明の洗面ボール取付構造を適用する洗面化粧台の斜視図である。
【図７】本発明の洗面ボール取付構造の概略斜視図である。
【図８】従来例の問題点を説明する説明図である。
【符号の説明】
１  本体キャビネット
１１  側板
１１ａ  上端面
１１ｂ  上端部内面
２  ズレ防止用サッシ
２２  ズレ止部
２２ａ  外面
３  洗面ボール
３１  側壁板
３１ａ  下端面
３１ｂ  下端部内面
３２  固着部
３３  固着孔
４  固定具
４１  挿通孔
５  固着具
【図１】
0003743278.tif 000002
【図２】
0003743278.tif 000003
【図３】
0003743278.tif 000004
【図４】
0003743278.tif 000005
【図５】
0003743278.tif 000006
【図６】
0003743278.tif 000007
【図７】
0003743278.tif 000008
【図８】
0003743278.tif 000009